(57)【要約】【課題】製造コストを低く抑えつつガラス扉の開放時に衣服等への引掛かりを防止することにより作業効率の向上を図る遊技機を提供する。【解決手段】遊技機本体枠にガラス扉３を開閉可能に施錠する施錠装置３４を備えた遊技機であって、ガラス扉３の裏面には、ガラス扉を補強するための金属製の補強板２８が備えられるとともに、ガラス板を嵌装するためのガラス板取付枠１１（１３）が突設され、施錠装置３４は、ガラス扉に備えられた係止片３９と、遊技機本体枠に変位可能に支持されて備えられ、係止片３９に係合可能な係止フックとで構成されており、係止片３９は、補強板の裏面から遊技機奥行き方向に向けて一体に突出されるとともに、少なくとも突出端部４０ｂを鉤状に形成することにより開口部４０ｃを形成しており、ガラス板取付枠は、ガラス板取付枠の縁部１３ｃが、係止片３９の開口部４０ｃを覆うように近接して設けられている。【選択図】    図４
2006263242.tif 000002
【特許請求の範囲】
【請求項１】
遊技機本体枠にガラス扉を開閉可能に施錠する施錠装置を備えた遊技機であって、
前記ガラス扉の裏面には、ガラス扉を補強するための金属製の補強板が備えられるとともに、ガラス板を嵌装するためのガラス板取付枠が突設され、
前記施錠装置は、
前記ガラス扉に備えられた係止片と、
前記遊技機本体枠に変位可能に支持されて備えられ、前記係止片に係合可能な係止フックとで構成されており、
前記係止片は、前記補強板の裏面から遊技機奥行き方向に向けて一体に突出されるとともに、少なくとも突出端部を鉤状に形成することにより開口部を形成しており、
前記ガラス板取付枠は、該ガラス板取付枠の縁部が、前記係止片の開口部を覆うように近接して設けられていることを特徴とする遊技機。
【請求項２】
係止片の突出端部の高さは、ガラス板取付枠の縁部の高さ以下に構成されていることを特徴とする請求項１に記載の遊技機。
【請求項３】
遊技機本体枠にガラス扉を開閉可能に施錠する施錠装置を備えた遊技機であって、
ガラス扉は、扉ベース板の前面に装飾部材が取り付けられるとともに、
前記ガラス扉の裏面には、ガラス扉を補強するための金属製の補強板が備えられ、
前記施錠装置は、
前記ガラス扉に備えられた係止片と、
前記遊技機本体枠に変位可能に支持されて備えられ、前記係止片に係合可能な係止フックとで構成されており、
前記係止片は、前記補強板の裏面から遊技機奥行き方向に向けて一体に突出されるとともに、少なくとも突出端部を鉤状に形成することにより開口部を形成しており、
前記扉ベース板には、前記係止片の開口部を覆うように近接して突設部を一体に備えていることを特徴とする遊技機。
【請求項４】
係止片の突出端部の高さは、突設部の高さ以下に構成されていることを特徴とする請求項３に記載の遊技機。
【発明の詳細な説明】
【技術分野】
【０００１】
本発明は、遊技機、詳しくは、ガラス扉が遊技機本体枠に対して施錠装置によって閉扉可能な遊技機に関する。なお、本発明の遊技機は、いわゆるパチンコ機と称される弾球遊技機、いわゆるパチスロ機と称される回胴式遊技機の双方を対象としている。
【背景技術】
【０００２】
例えば弾球遊技機（いわゆるパチンコ機）には、多数の遊技釘や各種入賞口（例えば、始動入賞口や大入賞口等）などの各種遊技部材を設けて遊技球の転動する遊技領域を構成している遊技盤が遊技機本体枠に取り付けられており、前記遊技盤は、遊技機本体枠の一側にヒンジ（回動軸）などを介して開閉可能に取り付けられたガラス扉のガラス板を介して視認可能に構成されている。
【０００３】
従来、この種の弾球遊技機は、遊技機本体枠に対してガラス扉を施錠可能とするように、ガラス扉の裏面に鉤状に備えられている係止フックと、この係止フックが係合する被係止部材とからなる施錠装置が備えられている。
すなわち、このようにガラス扉の施錠装置を備えているのは、ガラス扉が自由に開閉可能であると遊技者の不正行為を誘発する虞がありこれを防止する必要がある反面、弾球遊技機にあっては、遊技中において遊技球の球詰まりなどが生じた場合には、ガラス扉を開放して球詰まりの修復を行う必要があるためである。
しかし、従来の遊技機においては、ガラス扉を開放して球詰まりの修復を行う際に、ガラス扉に備えられている鉤状の係止フックに作業者（遊技機管理者）の衣服等を引掛けてしまうという問題があった。このような問題は、衣服等の破損につながるばかりか、作業効率を低下させてしまうという不具合にもつながる虞があった。
そこで、このような問題を解決するものとして、鉤状の係止フックに作業者の衣服等を引掛けてしまうことを抑制することができるものがあった（例えば特許文献１乃至３を参照）。
【特許文献１】特開２００１−１８７２４８号公報
【特許文献２】特開２００１−１２０８１７号公報
【特許文献３】特開２００４−１４１３０７号公報
【発明の開示】
【発明が解決しようとする課題】
【０００４】
しかし、前記特許文献１に開示の先行技術では、フックを鉤状とせず、コの字状にして遊技機枠に取り付けているが、フックを設けるにあたり部品点数が増加するため製造コストが掛かってしまう。
また、特許文献２および３では、不正防止の観点より係止フックを覆うカバー部材などが備えられており、このカバー部材が引掛かりを防止することも考えられる。しかし、このようなカバー部材を別途備えなければならず部品点数の増加により製造コストが掛かってしまう。
本発明は、このような問題を解決するためになされており、その目的とするところは、製造コストを低く抑えつつガラス扉の開放時に衣服等への引掛かりを防止することにより作業効率の向上を図る遊技機を提供することである。
【課題を解決するための手段】
【０００５】
このような目的を達成するために、第１の発明は、遊技機本体枠Ａにガラス扉３を開閉可能に施錠する施錠装置３４を備えた遊技機であって、前記ガラス扉３の裏面には、ガラス扉３を補強するための金属製の補強板２８（３０）が備えられるとともに、ガラス板４を嵌装するためのガラス板取付枠１１（１３）が突設され、前記施錠装置３４は、前記ガラス扉３に備えられた係止片３９（４０）と、前記遊技機本体枠Ａに変位可能に支持されて備えられ、前記係止片３９（４０）に係合可能な係止フック３５（３６）とで構成されており、前記係止片３９（４０）は、前記補強板２８（３０）の裏面から遊技機奥行き方向に向けて一体に突出されるとともに、少なくとも突出端部４０ｂを鉤状に形成することにより開口部４０ｃを形成しており、前記ガラス板取付枠１１（１３）は、該ガラス板取付枠１３の縁部１３ｃが、前記係止片３９（４０）の開口部４０ｃを覆うように近接して設けられていることを特徴とする遊技機としたことである。
【０００６】
本発明によれば、上述のような構成を採用したことで、ガラス扉３側に備えられる係止片３９（４０）が、ガラス扉３を補強するために備えられる金属製の補強板２８（３０）から一体的に突出形成されるものであるため、部品点数の削減が図れるとともに耐久性にも優れている。
また、係止片３９（４０）の突出端部４０ｂを鉤状に形成し、該ガラス板取付枠１１（１３）を、係止片３９（４０）の開口部４０ｃに近接させて備えることで、該ガラス板取付枠１１（１３）の一面（背面１３ｂ）によって係止片３９（４０）の開口部４０ｃが覆われるため、ガラス扉３側に備えられる係止片３９（４０）による衣服などへの引掛かりが防げる。また、このような衣服等への引掛かり防止を図るための手段が上述の通りの構成によって成し得るため、別途従来のようなカバー部材などを必要とせず、製造コストも低減可能である。
【０００７】
第２の発明は、第１の発明において、係止片３９（４０）の突出端部４０ｂの高さは、ガラス板取付枠１１（１３）の縁部１３ｃの高さ以下に構成されていることを特徴とする遊技機としたことである。
【０００８】
本発明によれば、第１の発明の効果とともに係止片３９（４０）の突出端部４０ｂがガラス板取付枠１１（１３）の縁部１３ｃから突出しないものとすれば、該突出端部４０ｂに衣服などが引掛かる虞もない。
また、本発明の構成により、係止片３９（４０）の突出端部４０ｂの角部に作業者が触れることが無いため、該角部に触れることによる不快な触感を与えない。
【０００９】
第３の発明は、遊技機本体枠Ａにガラス扉３を開閉可能に施錠する施錠装置３４を備えた遊技機であって、ガラス扉３は、扉ベース板２６の前面に装飾部材２７が取り付けられるとともに、前記ガラス扉３の裏面には、ガラス扉３を補強するための金属製の補強板２８（３０）が備えられ、前記施錠装置３４は、前記ガラス扉３に備えられた係止片３９（４１）と、前記遊技機本体枠Ａに変位可能に支持されて備えられ、前記係止片３９（４１）に係合可能な係止フック３５（３７）とで構成されており、前記係止片３９（４１）は、前記補強板２８（３０）の裏面から遊技機奥行き方向に向けて一体に突出されるとともに、少なくとも突出端部４１ｂを鉤状に形成することにより開口部４１ｃを形成しており、前記扉ベース板２６には、前記係止片３９（４１）の開口部４１ｃを覆うように近接して突設部３１を一体に備えていることを特徴とする遊技機としたことである。
【００１０】
本発明によれば、上述のような構成を採用したことで、ガラス扉３側に備えられる係止片３９（４１）が、ガラス扉３を補強するために備えられる金属製の補強板２８（３０）から一体的に突出形成されるものであるため、部品点数の削減が図れるとともに耐久性に優れている。
また、係止片３９（４１）の突出端部４１ｂを鉤状に形成し、突設部３１を係止片３９（４１）の開口部４１ｃに近接させて扉ベース板２６と一体に備えることで、該突設部３１によって係止片３９（４１）の開口部４１ｃが覆われるため、ガラス扉３側に備えられる係止片３９（４１）による衣服などへの引掛かりが防げる。
また、このような衣服等への引掛かり防止を図るための手段が上述の通りの構成により成し得るため、別途従来のようなカバー部材などを必要とせず、製造コストも低減可能である。
【００１１】
第４の発明は、第３の発明において、係止片３９（４１）の突出端部４１ｂの高さは、突設部３１の高さ以下に構成されていることを特徴とする遊技機としたことである。
【００１２】
本発明によれば、第３の発明の効果とともに、係止片３９（４１）の突出端部４１ｂが突設部３１から突出しないものとすれば、該突出端部４１ｂに衣服などが引掛かる虞もない。
また、本発明の構成により、係止片３９（４１）の突出端部４１ｂの角部に作業者が触れることがないため、該角部に触れることによる不快な触感を与えない。
【発明の効果】
【００１３】
本発明によれば、製造コストを低く抑えつつガラス扉の開放時に衣服等への引掛かりを防止することにより作業効率の向上を図ることの可能な遊技機が提供できる。
【発明を実施するための最良の形態】
【００１４】
以下、本発明の一実施形態について説明する。なお、本実施形態は本発明の一例にすぎずなんらこれに限定解釈されるものではなく、本発明の範囲内で設計変更可能である。
【実施例１】
【００１５】
本実施例では、本発明を適用する遊技機の一例として図に示す形態の弾球遊技機（パチンコ機ともいう）をもって説明する。
図１は、本発明を適用した弾球遊技機の一例を示す概略斜視図で、図２乃至図４は、ガラス扉３の概略図、図５は遊技機本体Ａの概略図である。
弾球遊技機は、外枠１と内枠２にて構成された遊技機本体枠Ａを備え、図１に示すように、外枠１の前面に内枠（ベースドア）２が回動自在に軸支され、該内枠２の前面には、遊技盤ベースに始動入賞口や遊技釘などの種々の遊技部材を備えて構成した図示しない遊技盤が着脱自在に装着され、該遊技盤の背面には図示しない表示装置が着脱自在に装着されている。なお、表示装置は特に限定されず本発明の範囲内で設計変更可能である。また、表示装置を備えない遊技機であっても本発明の範囲内である。
【００１６】
そして、前記内枠２の前面には、図１に示すように、ガラス板４を嵌めたガラス扉（フロント扉）３が前記内枠２の前面側の一側を回動軸（ヒンジ部）１０として回動自在に軸支され、該ガラス扉３の閉鎖時には、該ガラス扉３の前側からガラス板４を介して前記遊技盤が視認される。図１及び図５にて、符号３４は、遊技機本体枠（以下、遊技機本体ともいう）にガラス扉３を開閉可能に施錠する施錠装置を示す。
また、本実施例では、図１に示すように、前記ガラス扉３の配設位置よりも上方の内枠２の前面には、音による演出装置としてのスピーカ２３が備えられている。
【００１７】
そして、前記ガラス扉３を軸支した内枠２の前面下部には、後述する遊技球供給皿５満杯時に遊技球受入口５ａの内方で溢れ出た球を排出する下皿排出口６ａを有する下皿６が備えられている。
また、図１で示す符号８は、遊技球を遊技領域へ向けて発射する発射装置のハンドルで、該ハンドル８のレバー８ａを時計回り方向に回転させることにより発射停止スイッチがONとなり、駆動する図示しない発射ソレノイド駆動により槌先が作動して、遊技球供給皿５から供給された遊技球を叩打して遊技球を遊技盤に備えられた遊技領域に打ち出す。
【００１８】
ガラス扉３は、例えば図３、図４及び図８乃至図１０に示すように、扉ベース２６と、装飾部材２７と、補強板２８と、ガラス板取付枠１１の複数の構成要素からなっている。
【００１９】
扉ベース２６は、前面の下方領域に遊技球供給皿（上皿）５が配設される配設スペース２６ｂが備えられるともに、その配設スペース２６ｂの上方には遊技盤の遊技領域が臨む開口２６ａが備えられた正面視矩形状に形成されている。前記配設スペース２６ｂの領域幅や開口２６ａ形状は特に限定されず本発明の範囲内で設計変更可能である。
また、本実施例では、後述する開放側取付枠１３（１１）の下方領域である扉ベース２６の裏面下側に、遊技機の奥行き方向に直交して突出するように突設部３１を備えている。該突設部３１は、後述する下側係止片４１（３９）と対向する位置に近接して突設されている。なお、本実施例では、下側係止片４１（３９）よりも奥行き方向に背の高い立方体状に突設されている。また、上下方向の幅も下側係止片４１（３９）と比して大きく形成されている。突設部３１の形状については特に限定されず本発明の範囲内で設計変更可能である。
【００２０】
装飾部材２７は、前記扉ベース２６の開口２６ａの外周縁を覆う第一装飾部２７ａと、該第一装飾部２７ａの下端両側から一体に延設され、配設スペース２６ｂに取り付けられる遊技球供給皿５の側方を装飾する第二装飾部２７ｂとで構成され、扉ベース２６の前面に取り付けられ、光による演出装置としてのランプ飾り２４が備えられている。装飾部材２７の形状は特に限定されず本発明の範囲内で設計変更可能である。
【００２１】
遊技球供給皿（上皿）５は、前記扉ベース２６の前面下部に取り付けられ、図示しない払出装置から払い出された遊技球が遊技球受入口５ａから供給されるとともに、発射装置へと遊技球を供給する。遊技球供給皿５の構成も特に限定されない。
【００２２】
補強板２８は、前記扉ベース２６の前面側部に取り付けられ、回動軸１０側（図８にて向かって左側）に取り付けられる回動軸側の補強板２９と、開放側１６（図８にて向かって右側）に取り付けられる開放側の補強板３０とで構成されている。
【００２３】
回動軸側の補強板２９は、扉ベース２６の高さ方向長さと略同一長さを有する金属材料をもって長尺細板に形成され、その上端に回動軸１０となるヒンジピン３３を上下方向に移動可能に配設する取付部材３２が一体に備えられている。そして、該取付部材３２を装飾部材２７側に向けて補強板２９が扉ベース２６の前面側部に取り付けられる。
【００２４】
開放側の補強板３０は、同軸上に配した長尺細板部３０ａと短尺細板部３０ｂと、該長尺細板部３０ａと短尺細板部３０ｂとの間に一体に備えられ、操作部４２を回避する湾曲板部３０ｃで長尺に形成され、扉ベース２６の高さ方向長さと略同一長さに全体金属材料をもって形成され、長尺細板部３０ａの裏面上端寄りと短尺細板部３０ｂの裏面に、夫々施錠装置３４を構成する係止片３９（上側係止片４０と下側係止片４１）が突設されている。
そして、該夫々の係止片４０（３９），４１（３９）を扉ベース２６の裏面側に突出させるように扉ベース２６の前面側部に取り付けられる。なお、係止片構成については、後述する施錠装置３４の説明で詳述する。
【００２５】
前記各補強板２８（２９，３０）は、ガラス扉３を補強可能な程度に強度を有するものであればその材質に特に限定されるものではなく、また横方向の幅も扉ベース２６の側部構成に応じて大小設計変更可能である。
なお、本実施例では回動軸側の補強板２９に、回動軸１０を構成する取付部材３２を一体に備える一実施形態を開示したが、取付部材３２は補強板２９と別体に成形されたものであってもよく、また取付部材３２の構成も図示例に限定されるものではない。
【００２６】
ガラス板取付枠１１は、前記扉ベース２６の裏面に一体に突設し、ガラス板４を着脱可能に嵌装する構成を有している。例えば、その一実施形態を説明すると、端部を開放した二本の平行なレール部１２ａ・１２ａ，１３ａ・１３ａ，１４ａ・１４ａ（スライド溝部）を、枠内面側にて扉ベース２６の高さ方向にわたる連続した溝形状に構成されている。
【００２７】
例えば本実施例においては、扉ベース２６裏面の回動軸１０側に突出して遊技機の高さ方向にわたって備えた樹脂製の回動軸側取付枠１２と、扉ベース２６裏面の開放側１６に突出して遊技機の高さ方向にわたって備えた樹脂製の開放側取付枠１３と、扉ベース２６裏面の下部分側に突出して備えた金属製の下部分側取付枠１４とで構成されているとともに、ガラス扉３の上部分（図３及び図４にて、ガラス扉３の裏側から見て正面視上側）を開放することによりガラス板嵌装可能部１５を構成している。
なお、本実施例では、回動軸１０側と開放側１６の取付枠１２，１３を樹脂材で、下部分の取付枠１４を金属材で形成するものとしているが特に限定されず、開放側の取付枠１３を金属製としてもよい。
【００２８】
そして、本実施例では、図３及び図４に示すように、前記開放側取付枠１３の背面１３ｂ（レール部１３ａの背面）長さ方向の略中心位置に、移動補助部材２５が横方向（水平方向）に摺動可能に挿入配設する移動補助部材用貫通孔１７が外面側から内面側に貫通して設けられている。
前記移動補助部材２５は、図３及び図４に示すように、開放側取付枠１３に設けられた移動補助部材用貫通孔１７に、横方向にスライド可能（開放側１６から回動軸１０側に向けてスライド可能）に備えられており、ガラス板嵌装可能部１５から嵌装したガラス板４を、回動軸１０側のガラス板取付位置２０へと押圧して摺動移動させる。
また、本実施例では、二枚のガラス板４，４が前後に所定の間隔をあけて夫々着脱可能にガラス板取付枠１１に保持されている。なお、ガラス板４の配設枚数は本実施例になんら限定解釈されるものではなく、単数枚若しくは二枚以上であってもよい。
【００２９】
そして、本実施例では、前記補強板３０から突設した施錠装置３４を構成する係止片３９を近接させて備えている。
【００３０】
施錠装置３４は、ガラス扉３を遊技機本体に対して開閉可能に施錠する構成であって、遊技機本体側に備えられる係止フック３５と、該係止フック３５を上下操作して施錠・解錠操作する操作部４２と、ガラス扉３側に備えられ、前記遊技機本体側の係止フック３５が係止する係止片３９とで構成されている。
【００３１】
係止フック３５は、例えば図５に示すように、遊技機本体Ａの前面開放側（図５で向かって右側）の側縁に備えられ、本実施例では、操作部４２と機械的に連携された長尺状本体３８の前面に、遊技機の高さ方向に所定間隔をあけて一体に突設された上側係止フック３６と下側係止フック３７からなり、夫々の係止フック３６，３７は、長尺状本体３８の前面から前方に向けて突設した平板部３６ａ，３７ａと、該平板部３６ａ，３７ａの先端に上向き（遊技機の高さ方向で上向き）に突出した係止爪３６ｂ，３７ｂとで形成されている。
長尺状本体３８と操作部４２との連携構造の一例を挙げると、例えば本実施例では、長尺状本体３８は、その一側面に、後述する操作部４２のギア（図示省略）と噛み合う図示しないギア部を一体に形成しており、操作部４２のギアの回転作動によって長尺状本体３８が上下方向にスライド移動する。従って、長尺状本体３８の上下方向のスライド移動によって、上下に所定間隔をあけて一体に突設した上側係止フック３６と下側係止フック３７が上下方向にスライド移動する。
【００３２】
係止片３９は、図３，図４及び図６に示すように、前記ガラス扉３の裏面に備えた開放側の補強板３０裏面の上下位置に、夫々一つずつ遊技機の奥行き方向に向けて補強板３０と一体に突設された上側係止片４０と下側係止片４１とを備えている。
例えば、本実施例では、夫々の係止片４０，４１は、補強板３０の上下位置の任意箇所を補強板３０裏面方向に切り起して、補強板３０裏面に対して直交する突出片４０ａ，４１ａと、該突出片４０ａ，４１ａの先端を、前記開放側取付枠１３の背面１３ａ及び突設部３１の背面３１ａに向けて鉤状に折曲形成した突出端部４０ｂ，４１ｂとで平面視略Ｌ字形状に立上げ形成されている。
【００３３】
また、上側係止片４０は、本実施例によれば、前記突出片４０ａと突出端部４０ｂによって回動軸方向に開放された開口４０ｃが形成されているが、上側係止片４０の開口４０ｃは、前記突出端部４０ｂが開放側取付枠１３の背面縁部１３ｃ方向に向けて折曲形成されるとともに、前記開放側取付枠１３の縁部１３ｃが前記開口４０ｃを覆うように近接して設けられているため、別途開口４０ｃを覆う壁部を備える必要が無い（図６（ａ）参照）。
また、下側係止片４１にあっても上側係止片４０と同様に形成されるとともに、該下側係止片４１の場合、扉ベース２６の裏面下方にて、下側係止片４１の開口４１ｃを覆うように近接して突設部３１を一体に備えたため、別途開口４１ｃを覆う壁部を備える必要が無い（図６（ｂ）参照）。
従って、係止片４０，４１の突出端部４０ｂ，４１ｂから突出片４０ａ，４１ａと平行する壁部を別途一体に延設することで開口４０ｃ，４１ｃを覆う壁部を形成することも可能であるが、本実施例のように係止片４０，４１を平面視略Ｌ字形状に形成し、その突出端部４０ｂ，４１ｂに近接して開放側取付枠１３や突設部３１を備える構成とする方が、コスト安価であるとともに、係止片の折曲加工が容易である。
【００３４】
また、本実施例では、上側係止片４０の突出端部４０ｂの高さが、ガラス板取付枠１１（開放側取付枠１３）の背面縁部１３ｃの高さ以下に構成され、下側係止片４１の突出端部４１ｂの高さは、突設部３１の高さ以下に構成されている（図７にて符号Ｈは高さの差を示す。）。
このように構成したことから、係止片４０，４１の突出端部４０ｂ，４１ｂが開放側取付枠１３の縁部１３ｃ及び突設部３１の縁部３１ｂから突出しないため、該突出端部４０ｂ，４１ｂ０に衣服などが引掛かる虞もない。また、係止片４０，４１の突出端部４０ｂ，４１ｂの角部に作業者が触れることが無いため、該角部に触れることによる不快な触感を与えることもない。なお、開口部４０ｃが覆われていれば、突出端部４０ｂ，４１ｂが縁部１３ｃ，３１ｂよりわずかに突出してもよい。
【００３５】
操作部４２は、特に本発明において限定解釈されるものではなく種々の操作機構を有する周知の操作部が適用可能で、例えば本実施例では、図示しない所定の鍵を用いて左右いずれかの方向に回転操作することによって、図示しないギアが追随して回転作動する。このギアの回転作動によって、該ギアと噛み合っているギア部を備えた前記長尺状本体３８が上下スライド操作される。
【００３６】
すなわち、ガラス扉３を遊技機本体Ａの開放側１６の前面端部に当接させて閉じた状態とした後、所定の鍵を用いて操作部４２を施錠方向に回転作動させ、長尺状本体３８を上方にスライド操作することにより、長尺状本体３８に突設されている上側係止フック３６と下側係止フック３７が上方に移動して、該係止フック３６，３７の係止爪３６ｂ，３７ｂが、ガラス扉３の上側係止片４０と下側係止片４１に下方から係止される。また、操作部４２を解錠方向に回転作動させ、長尺状本体３８を下方にスライド操作することにより、長尺状本体３８に突設されている上側係止フック３６と下側係止フック３７が下方に移動して、該係止フック３６，３７の係止爪３６ｂ，３７ｂが、ガラス扉３の上側係止片４０と下側係止片４１から離脱される。
「変形例１」
【００３７】
ここで、特に図示はしないが前記実施例１の変形例１を説明する。
前記実施例１では、上下の係止フック３６，３７と、これに対応して備えられる上下の係止片４０，４１と、前記上下の係止フック３６，３７を上下方向にスライド操作する操作部４２とにより施錠装置３４を構成しているが、係止フック３６，３７と係止片４０，４１は、少なくとも夫々一対備えられていれば良く、その配設数量に限定解釈はされない。また、係止フック３６，３７の形状も特に限定されず本発明の範囲内で設計変更可能である。
【００３８】
また、実施例１では、操作部４２の左右方向への回転運動を上下方向の直進運動に変換して上下の係止フック３６，３７を上下方向にスライド移動する構成を採用しているが、これになんら限定解釈はされない。例えば、係止フック３６，３７の係止爪３６ｂ，３７ｂを夫々下向きに突出する形態に構成し、下方向にスライド移動した場合に係止片３６，３７に係止され、上方向にスライド移動することで係止片３６，３７から離脱する構成であってもよい。
【００３９】
さらに、実施例１では、長尺状本体３８を上下方向に移動させることで該長尺状本体３８に一体に備えた上下の係止フック３６，３７を上下方向に移動可能に構成しているが、長尺状本体３８とは別体に係止フックのみを係止・離脱作動する構成を採用することも本発明の範囲内で設計変更可能である。
例えば、上下の係止フック３６，３７を、遊技機本体の奥行き方向に直交する回転軸を中心として左右方向に回転可能に備え、先端に設けた係止爪がその回転操作によって係止片に係止される構造を採用することもできる。すなわち、操作部の回転運動を上下の係止フックに伝達する周知機構を備え、操作部をいずれかの方向に回転操作すると、夫々の係止フックが回転作動して係止片に係止若しくは離脱することができる。
【図面の簡単な説明】
【００４０】
【図１】本発明遊技機の概略を示す全体斜視図。
【図２】ガラス扉の正面図。
【図３】ガラス扉の背面図。
【図４】ガラス扉を裏側から見た状態の斜視図。
【図５】遊技機本体の斜視図。
【図６】ガラス扉の要部拡大図で、（ａ）は上側の係止片の配設状態を示し、（ｂ）は下側の係止片の配設状態を示す。
【図７】ガラス扉の要部断面図で、（ａ）は上側の係止片の突出端部とガラス板取付枠の縁部との高さの差を示し、（ｂ）は下側の係止片の突出端部とガラス板取付枠の縁部との高さの差を示す。
【図８】前面側から見たガラス扉の分解斜視図。
【図９】前面側から見たガラス扉の分解斜視図で、扉ベースから装飾部材を分解した状態を示す。
【図１０】裏面側から見たガラス扉の分解斜視図。
【符号の説明】
【００４１】
３  ガラス扉
４  ガラス板
１０  回動軸
１１  ガラス板取付枠
１３  開放側取付枠
２６  扉ベース
２７  装飾部材
２８  補強板
３１  突設部
３４  施錠装置
３５  係止フック
３９  係止片
４２  操作部
【図１】
2006263242.tif 000003
【図２】
2006263242.tif 000004
【図３】
2006263242.tif 000005
【図４】
2006263242.tif 000006
【図５】
2006263242.tif 000007
【図６】
2006263242.tif 000008
【図７】
2006263242.tif 000009
【図８】
2006263242.tif 000010
【図９】
2006263242.tif 000011
【図１０】
2006263242.tif 000012